(57)【特許請求の範囲】
【請求項１】
格納姿勢と使用姿勢とに出退自在に設けられたスライダーと、
前記スライダーの先端に設けられたおしり洗浄ノズル及びビデ洗浄ノズルからなる使用者の局部を洗浄する局部洗浄ノズルと、
前記局部洗浄ノズルの上部及び側方部を噴射洗浄するための複数の噴射口が設けられているノズル噴射洗浄手段と、
を備え、
前記ノズル噴射洗浄手段は、
前記局部洗浄ノズルの前記おしり洗浄ノズル及び前記ビデ洗浄ノズルの前記格納姿勢における上方に形成された飛散防止板と、
前記飛散防止板と一体形成され前記おしり洗浄ノズル及び前記ビデ洗浄ノズルの前記出退方向に沿った両側斜め上方に前記複数の噴射口が配置され、
前記おしり洗浄ノズル又は前記ビデ洗浄ノズルの一方が格納姿勢となって洗浄される場合に、使用姿勢となっている他の前記ビデ洗浄ノズル又は前記おしり洗浄ノズルの前記スライダーを同時に洗浄する局部洗浄装置。
【請求項２】
前記ノズル噴射洗浄手段は、前記複数の噴射口が、前記おしり洗浄ノズル及びビデ洗浄ノズルの前記出退方向に沿った長いスリット形状とした請求項１に記載の局部洗浄装置。
【請求項３】
前記ノズル噴射洗浄手段は、前記複数の噴射口が、前記おしり洗浄ノズル及びビデ洗浄ノズルの前記出退方向が短いスリット形状とした請求項１に記載の局部洗浄装置。
【請求項４】
前記ノズル噴射洗浄手段は、前記噴射口の形状が、前記局部洗浄ノズルに対し前記洗浄水を扇状、又は円錐状に拡散するように形成されている請求項１〜３のいずれか１項に記載の局部洗浄装置。
【請求項５】
前記局部洗浄ノズルの格納位置において、前記局部洗浄ノズルの上方に前記洗浄水が飛散するのを防止する飛散防止板が設けられている請求項１〜４のいずれか１項に記載の局部洗浄装置。
【請求項６】
前記局部洗浄ノズルの背方に前記洗浄水が飛散するのを防止する背方飛散防止板が更に設けられている請求項５に記載の局部洗浄装置。
【請求項７】
前記局部洗浄ノズルの側方に前記洗浄水が飛散するのを防止する側方飛散防止板が更に設けられている請求項６に記載の局部洗浄装置。
【請求項８】
前記飛散防止板に前記ノズル噴射洗浄手段の前記噴射口にいたる流路が形成されている請求項５〜７のいずれか１項に記載の局部洗浄装置。
【請求項９】
前記流路が３列に分岐されており、３列の流路のそれぞれの分岐先端には、前記噴射口がそれぞれ形成されている請求項８に記載の局部洗浄装置。
【発明の詳細な説明】
【０００１】
【発明の属する技術分野】
本発明は、局部洗浄ノズルを備えた局部洗浄装置に関し、詳しくは、局部洗浄ノズルに付着した汚物等を確実に清浄化しようとする技術に係るものである。
【０００２】
【従来の技術】
従来、局部洗浄ノズルを備えた局部洗浄装置にあっては、例えば、洗浄時に局部洗浄ノズルを使用姿勢に突出させて局部洗浄水を噴射させて局部洗浄をおこなうものであることから、反射した局部洗浄水とともに汚物等が局部洗浄ノズルに飛散して付着することがあるものである。
【０００３】
従来の局部洗浄装置にあっては、局部洗浄ノズルとしておしり洗浄ノズルとビデ洗浄ノズルの他に、両ノズルの主に噴出口及びその近傍を洗浄するためのノズル洗浄用ノズルを備えており、ノズル洗浄用ノズルの吐出口は、局部洗浄ノズルの噴射口の上方に位置して噴射口の上部の近傍の広い範囲を洗浄する広口形状にしているものである。
【０００４】
【発明が解決しようとする課題】
このように、従来のノズル洗浄用ノズルの吐出口が広口形状であることから、吐出口から水を自由に落下させて洗浄する形態となり、局部洗浄ノズルの噴射口の近傍の上面のみを洗浄することになり、局部洗浄ノズル側に付着した汚物等を除去する能力が低く、付着した汚物等を除去することができないのが現状である。
【０００５】
ところで、局部洗浄ノズルの噴出口の周部で、平面状になっている噴出口の上部に汚物が付着しやすく、不衛生となるものであり、又、次の使用者の洗浄に際して局部洗浄ノズルに付着している汚物が飛散され付着されるおそれもあり、きわめて不衛生で病気等の原因にもなるおそれがある。特に、局部を真下より洗浄する構造となる場合には、一層、顕著となる。
【０００６】
しかも、局部洗浄ノズルを清掃するには局部洗浄ノズルが格納されている狭い箇所に掃除用具を入れるか、或いは、局部洗浄ノズルを使用姿勢へと引き出しての清掃となるため、非常に手間がかかる作業となり、更に、局部洗浄ノズルの噴出口の周部に汚物が付着していることは、清掃する者にとって視覚的に非常に不快なものである。
【０００７】
本発明はこのような問題に鑑みてなされたものであり、局部洗浄ノズルに付着した汚物等を確実に清浄化できる局部洗浄装置を提供することを課題とするものである。
【０００８】
【課題を解決するための手段】
請求項１においては、
格納位置と使用姿勢とに出退自在に設けられたスライダー２と、
前記スライダーの先端に設けられたおしり洗浄ノズル１１及びビデ洗浄ノズル１３からなる使用者の局部を洗浄する局部洗浄ノズル１と、
前記局部洗浄ノズル１の上部及び側方部を噴射洗浄するための複数の噴射口５が設けられているノズル噴射洗浄手段４と、
を備え、
前記ノズル噴射洗浄手段４は、
局部洗浄ノズル１の前記おしり洗浄ノズル１１及び前記ビデ洗浄ノズル１３の前記格納位置における上方に形成された飛散防止板６と、
前記飛散防止板６と一体形成され前記おしり洗浄ノズル１１及び前記ビデ洗浄ノズル１３の前記出退方向に沿った両側斜め上方に前記複数の噴射口５が配置され、
前記おしり洗浄ノズル１１又は前記ビデ洗浄ノズル１３の一方が格納姿勢となって洗浄される場合に、使用姿勢となっている他の前記ビデ洗浄ノズル１３又は前記おしり洗浄ノズル１１の前記スライダー２を同時に洗浄するものである。
【０００９】
このような構成によれば、格納姿勢においてシリンダー３より突出している局部洗浄ノズル１をノズル噴射洗浄手段４より噴射される噴射洗浄水によって洗浄することができ、噴射されて勢いのある噴射洗浄水によって局部洗浄ノズル１に付着している汚物等を洗浄し落下させ、確実に清浄化させることができ、かつ、勢いのある噴射洗浄だから、目視及び感覚的に局部洗浄ノズル１を洗浄することのアピール感を出すことができ、更に、局部洗浄ノズル１の格納姿勢での洗浄だから、毎使用時に噴射洗浄をおこなうことが可能となり、一層、清浄化しやすく、かつ、清浄化ができて汚物等が付着し難くなり、清潔感を得ることができる。またこの場合、ノズル噴射洗浄手段４は、局部洗浄ノズル１のおしり洗浄ノズル１１及びビデ洗浄ノズル１３の格納位置における上方に形成された飛散防止板６と一体形成され、おしり洗浄ノズル１１及びビデ洗浄ノズル１３の出退方向に沿った両側斜め上方に複数の噴射口５が配置された構成により、局部洗浄ノズル１の上部及び側方部の洗浄範囲を広く噴射洗浄することができ、おしり洗浄ノズル１１又はビデ洗浄ノズル１３の一方が格納姿勢となって洗浄される場合に、使用姿勢となっている他のビデ洗浄ノズル１３又はおしり洗浄ノズル１１のスライダー２を同時に洗浄することができることから、スライダー２に汚物が付着することを防止することができる。
【００１０】
請求項２は、請求項１に記載の発明のノズル噴射洗浄手段４は、複数の噴射口５が、おしり洗浄ノズル１１及びビデ洗浄ノズル１３の出退方向に沿った長いスリット形状としたものである。このような構成によれば、おしり洗浄ノズル１１及びビデ洗浄ノズル１３の出退方向に沿った長いスリット形状の噴射口５によっておしり洗浄ノズル１１及びビデ洗浄ノズル１３の異なる位置を同時に噴射洗浄できる。
【００１１】
請求項３は、請求項１に記載の発明のノズル噴射洗浄手段４は、複数の噴射口５が、おしり洗浄ノズル１１及びビデ洗浄ノズル１３の出退方向が短いスリット形状としたものである。このような構成によれば、おしり洗浄ノズル１１及びビデ洗浄ノズル１３の出退方向が短いスリット形状の噴射口５によっておしり洗浄ノズル１１及びビデ洗浄ノズル１３の異なる位置を同時に噴射洗浄できる。
【００１２】
請求項４は、請求項１〜３のいずれか１つに記載の発明のノズル噴射洗浄手段４は、噴射口５の形状が、局部洗浄ノズル１に対し洗浄水を扇状、又は円錐状に拡散するように形成されているものである。このような構成によれば、扇状、又は円錐状に拡散するように噴射洗浄をおこなうことができ、少ない噴射口５で洗浄範囲を増すことができる。
【００１３】
請求項５は、請求項１〜４のいずれか１つに記載の発明の局部洗浄ノズル１の格納位置において、局部洗浄ノズル１の上方に洗浄水が飛散するのを防止する飛散防止板６を設けているものである。このような構成によれば、噴射洗浄水が局部洗浄ノズル１の上方に飛散することを防止して、局部洗浄装置の内部への飛散及び便器の外部への飛散を阻止することができ、かつ、使用者の身体への飛散を防止し、汚物を含んだ噴射洗浄水を便器の内部に落とすことができる。
【００１４】
また、請求項６は、請求項５に記載の発明の局部洗浄ノズル１の背方に洗浄水が飛散するのを防止する背方飛散防止板２３が更に設けられているものである。このような構成によれば、噴射洗浄水が局部洗浄ノズル１の背方に飛散することを防止して、局部洗浄装置の内部への飛散及び便器の外部への飛散を阻止することができ、かつ、使用者の身体への飛散を防止し、汚物を含んだ噴射洗浄水を便器の内部に落とすことができる。
【００１５】
請求項７は、請求項６に記載の発明の局部洗浄ノズル１の側方に洗浄水が飛散するのを防止する側方飛散防止板７が更に設けられているものである。このような構成によれば、側方飛散防止板７によって汚物を含んだ噴射洗浄水が側方へ飛散するのを阻止することができる。
【００１６】
請求項８は、請求項５〜７のいずれか１つに記載の発明の飛散防止板６にノズル噴射洗浄手段４の噴射口５にいたる流路８を形成しているものである。このような構成によれば、ノズル噴射洗浄手段４への洗浄水の供給を飛散防止板６に形成した流路８によりおこなうことができ、構成を簡素化できる。
【００１７】
また、請求項９は、請求項８に記載の発明の流路８が３列に分岐されており、３列の流路８のそれぞれの分岐先端には、噴射口５がそれぞれ形成されているものである。このような構成によれば、噴射口５より噴射される圧力は、おしり洗浄ノズル１１及びビデ洗浄ノズル１３よりの噴射圧と同様となるが、ノズル洗浄用管路体２１の管径及び噴射口５の数及び大きさの設定により充分に高い圧力を得ることができ、噴射洗浄が可能になるものである。
【００１８】
【発明の実施の形態】
以下、本発明の実施の形態を説明する。図１は局部洗浄ノズルの斜視図である。図２は局部洗浄装置の斜視図である。図３は系統図である。
【００１９】
局部洗浄装置Ａは、便器（図示せず）に取り付けられるものであり、局部洗浄装置Ａは便座９、便蓋１０を有し、局部洗浄ノズル１としてのおしり洗浄ノズル１１をおしりノズルシリンダー１２によって出退自在に、又、局部洗浄ノズル１としてのビデ洗浄ノズル１３をビデノズルシリンダー１４によって出退自在に設け、操作部１５における操作によって流路切換弁１６を切換えて選定したおしりシリンダー１２又はビデノズルシリンダー１４に貯湯タンク１７からの温水を供給して、選定したおしり洗浄ノズル１１又はビデ洗浄ノズル１３を所定位置に突出させるとともに突出位置において温水をノズル先端部に形成した噴出口１１ａ、１３ａから噴出して局部洗浄をおこなうようにしている。このような温水供給は、電磁弁１８の開放によりロータンク２８からの洗浄水を貯湯タンク１７に給水することで、ヒータ１９にて加温された温水の一部を貯湯タンク１７の上部から給湯するものである。符号２０は分岐水栓であり、上水道とロータンク２８との経路を切り換えて貯湯タンク１７に給水をおこなうものである。
【００２０】
本発明においては、図１、図５及び図９に示すように、局部洗浄ノズル１としてのおしり洗浄ノズル１１及びビデ洗浄ノズル１３の格納姿勢で両ノズル１１、１３を噴射洗浄して付着した汚物等を落とすノズル噴射洗浄手段４を設けている。以下、詳述する。
【００２１】
格納位置におけるおしり洗浄ノズル１１及びビデ洗浄ノズル１３の上方にノズル噴射洗浄手段４の洗浄水の流路８を形成している飛散防止板６を設けている。飛散防止板６にはノズル洗浄用管路体２１を接続している。飛散防止板６の裏面におしり洗浄ノズル１１を格納する部分６ａを形成して流路８に連通して噴射口５…を形成している。又、飛散防止板６の裏面にビデ洗浄ノズル１３を格納する部分６ｂを形成して流路８に連通して噴射口５…を形成している。ノズル洗浄用管路体２１は流路切換弁１６の二次側に接続されてい
る。
【００２２】
しかして、おしり洗浄ノズル１１及びビデ洗浄ノズル１３の格納姿勢において、流路切換弁１６の切り換えによりノズル洗浄用管路体２１に供給されて３列に分岐された流路８をへて噴射口５…より噴射しておしり洗浄ノズル１１及びビデ洗浄ノズル１３を洗浄することができるようにしている。この場合、噴射口５より噴射される圧力は、おしり洗浄ノズル１１及びビデ洗浄ノズル１３よりの噴射圧と同様となるが、ノズル洗浄用管路体２１の管径及び噴射口５の数及び大きさの設定により充分に高い圧力を得ることができ、噴射洗浄が可能になるものである。おしり洗浄ノズル１１及びビデ洗浄ノズル１３の噴射洗浄は、これらノズル１１、１３が格納位置に格納されたタイミングにておこなうようにしておくと使用後に洗浄がおこなえてノズル１１、１３の清浄化を、一層、容易におこなうことができてよい。
【００２３】
このように、格納姿勢においてシリンダー３より突出しているおしり洗浄ノズル１１及びビデ洗浄ノズル１３を噴射洗浄することができ、噴射されて勢いのある噴射洗浄水によって局部洗浄ノズル１に付着している汚物等を洗浄し落下させ、確実に清浄化させることができ、かつ、勢いのある噴射洗浄だから、目視及び感覚的におしり洗浄ノズル１１及びビデ洗浄ノズル１３を洗浄することのアピール感を出すことができ、更に、おしり洗浄ノズル１１及びビデ洗浄ノズル１３の格納姿勢での洗浄だから、毎使用時に噴射洗浄をおこなうことが可能となり、一層、清浄化しやすく、かつ、清浄化ができて汚物等が付着し難くなり、清潔感を得ることができるものである。
【００２４】
更に、おしり洗浄ノズル１１又はビデ洗浄ノズル１３の一方が格納姿勢となって洗浄される場合に、使用姿勢となっている他のビデ洗浄ノズル１３又はおしり洗浄ノズル１１のスライダー２を同時に洗浄することができることから、スライダー２に汚物が付着することをも防止することができるものである。
【００２５】
図９乃至図１０に示すように、ノズル噴射洗浄手段４における噴射口５…を形成する面は約４５°の傾斜面２２に形成されていて噴射口５はおしり洗浄ノズル１１及びビデ洗浄ノズル１３の軸芯Ｘに対して略垂直になっている。
【００２６】
しかして、局部洗浄ノズル１の軸芯Ｘに対して垂直に噴射洗浄水を噴射させることができ、噴射洗浄効果を高めることができるのである。
【００２７】
この場合、噴射口５の形状は、局部洗浄ノズル１の軸芯Ｘの方向に対し扇状（円錐状であってもよい）に拡散するように形成されている（図１０（ｂ）参照）。しかして、扇状（又は円錐状）に拡散するように噴射洗浄をおこなうことができ、少ない噴射口５で洗浄範囲を増すことができるものである。
【００２８】
ところで、おしり洗浄ノズル１１及びビデ洗浄ノズル１３の格納位置において、おしり洗浄ノズル１１及びビデ洗浄ノズル１３の上方を飛散防止板６にて覆っていて、噴射洗浄水が局部洗浄ノズル１の上方に飛散することを防止して、局部洗浄装置Ａの内部への飛散を阻止することができ、かつ、使用者の身体への飛散を防止し、汚物を含んだ噴射洗浄水を便器の内部に落とすことができるのである。
【００２９】
図１５は他の実施の形態を示す斜視図であり、但し、本実施の形態の基本構成は上記実施の形態と共通であり、共通する部分には同一の符号を付して説明は省略する。
【００３０】
本実施の形態においては、ノズル噴射洗浄手段４の噴射口５…を、おしり洗浄ノズル１１及びビデ洗浄ノズル１３の軸芯Ｘに対して周方向に間隔を隔てて並設しているものであ
る。
【００３１】
具体的には、噴射口５を形成する面を円弧面としてこの円弧面２４において円弧方向に間隔を隔ててスリット状の噴射口５…を形成したものである。
【００３２】
しかして、局部洗浄ノズル１の軸芯Ｘに対して周方向に間隔を隔てて並設した噴射口５…によっておしり洗浄ノズル１１及びビデ洗浄ノズル１３の全体を洗浄できるものである。
【００３３】
図１６は更に他の実施の形態を示す斜視図であり、但し、本実施の形態の基本構成は上記実施の形態と共通であり、共通する部分には同一の符号を付して説明は省略する。
【００３４】
本実施の形態においては、ノズル噴射洗浄手段４の噴射口５の形状は、局部洗浄ノズル１に対する噴射角度が２様に異なるように形成している。
【００３５】
具体的には、傾斜面２２と傾斜面２２とは角度が異なる縦面２５とに一連にスリット状の噴射口５を形成したものである。
【００３６】
本実施の形態においては、２様に異なる噴射角度で洗浄水を噴射させることができ、少ない噴射口５で洗浄範囲を増すことができるものである。
【００３７】
図１７及び図１８は更に他の実施の形態を示す斜視図であり、但し、本実施の形態の基本構成は上記実施の形態と共通であり、共通する部分には同一の符号を付して説明は省略する。
【００３８】
本実施の形態においては、おしり洗浄ノズル１１及びビデ洗浄ノズル１３の格納位置において、局部洗浄ノズル１の上方を覆う上記飛散防止板６の他に、おしり洗浄ノズル１１及びビデ洗浄ノズル１３の背方を覆う背方飛散防止板２３及び側方を覆う側方飛散防止板７を設けたものである。
【００３９】
しかして、上方、背方及び側方に洗浄水が飛散するのを防止するのであり、上方及び局部洗浄装置Ａの内部への飛散及び便器の外部への飛散を阻止することができ、かつ、使用者の身体への飛散を防止し、汚物を含んだ噴射洗浄水を便器の内部に落とすことができるのである。更に、側方飛散防止板７によって汚物を含んだ噴射洗浄水が側方へ飛散するのを阻止することができるのである。
【００４０】
この場合、飛散防止板６及び背方飛散防止板２３はノズル洗浄用管路体２１に一体化され、側方飛散防止板７は局部洗浄装置Ａの本体ケース２６に一体化されている。本体ケース２６の上部先端部は図１９に示すように、おしり洗浄ノズル１１及びビデ洗浄ノズル１３の出退時に当たることがない程度にまで垂下されていて、おしり洗浄ノズル１１及びビデ洗浄ノズル１３を隠すとともにこの垂下片２７においてもノズル洗浄水が飛散するのを防止するようにしている。ところで、飛散防止板６はノズル洗浄用管路体２１と別体にしてもよいものである。
【００４１】
【発明の効果】
請求項１においては、ノズル噴射洗浄手段４は、局部洗浄ノズル１のおしり洗浄ノズル１１及びビデ洗浄ノズル１３の格納位置における上方に形成された飛散防止板６と一体形成され、おしり洗浄ノズル１１及びビデ洗浄ノズル１３の出退方向に沿った両側斜め上方に複数の噴射口５が配置された構成により、局部洗浄ノズル１の上部及び側方部の洗浄範囲を広く噴射洗浄することができ、局部洗浄ノズル１に付着した汚物を確実に清浄化でき
る局部洗浄装置を提供ことができるとともに、おしり洗浄ノズル１１又はビデ洗浄ノズル１３の一方が格納姿勢となって洗浄される場合に、使用姿勢となっている他のビデ洗浄ノズル１３又はおしり洗浄ノズル１１のスライダー２を同時に洗浄することができることから、スライダー２に汚物が付着することを防止することができる。
【００４２】
請求項２においては、請求項１の構成に加えて、ノズル噴射洗浄手段４の噴射口５を、おしり洗浄ノズル１１及びビデ洗浄ノズル１３の出退方向に沿った長いスリット形状にしているから、請求項１の効果に加えて、おしり洗浄ノズル１１及びビデ洗浄ノズル１３の出退方向に沿った長いスリット形状の噴射口５によっておしり洗浄ノズル１１及びビデ洗浄ノズル１３の異なる位置を同時に噴射洗浄できるという利点がある。
【００４３】
請求項３においては、請求項１の構成に加えて、ノズル噴射洗浄手段４は、複数の噴射口５が、おしり洗浄ノズル１１及びビデ洗浄ノズル１３の出退方向が短いスリット形状にしているから、請求項１の効果に加えて、おしり洗浄ノズル１１及びビデ洗浄ノズル１３の出退方向が短いスリット形状の噴射口５によっておしり洗浄ノズル１１及びビデ洗浄ノズル１３の異なる位置を同時に噴射洗浄できるという利点がある。
【００４４】
請求項４においては、請求項１〜３のいずれか１つの構成に加えて、局部洗浄ノズルの噴射口の形状において、局部洗浄ノズル対し洗浄水を扇状、又は円錐状に拡散するように形成されているから、請求項１〜３のいずれか１つの効果に加えて、扇状、又は円錐状に拡散するように噴射洗浄をおこなうことができ、少ない噴射口で洗浄範囲を増すことができるという利点がある。
【００４５】
請求項５においては、請求項１〜４のいずれか１つの構成に加えて、局部洗浄ノズルの格納位置において、局部洗浄ノズルの上方に洗浄水が飛散するのを防止する飛散防止板を設けているから、請求項１〜４のいずれか１つの効果に加えて、噴射洗浄水が局部洗浄ノズルの上方に飛散することを防止して、局部洗浄装置の内部への飛散及び便器の外部への飛散を阻止することができ、かつ、使用者の身体への飛散を防止し、汚物を含んだ噴射洗浄水を便器の内部に落とすことができるという利点がある。
【００４６】
請求項６においては、請求項５の構成に加えて、局部洗浄ノズルの格納位置において、局部洗浄ノズルの背方に洗浄水が飛散するのを防止する背方飛散防止板を設けているから、請求項５の効果に加えて、噴射洗浄水が局部洗浄ノズルの背方に飛散することを防止して、局部洗浄装置の内部への飛散及び便器の外部への飛散を阻止することができ、かつ、使用者の身体への飛散を防止し、汚物を含んだ噴射洗浄水を便器の内部に落とすことができるという利点がある。
【００４７】
請求項７においては、請求項６の構成に加えて、局部洗浄ノズルの側方に洗浄水が飛散するのを防止する側方飛散防止板を備えているから、請求項６の効果に加えて、側方飛散防止板によって汚物を含んだ噴射洗浄水が側方へ飛散するのを阻止することができるという利点がある。
【００４８】
請求項８においては、請求項５〜７のいずれか１つの構成に加えて、飛散防止板にノズル噴射洗浄手段の噴射口にいたる流路を形成しているから、請求項５〜７のいずれか１つの効果に加えて、ノズル噴射洗浄手段への洗浄水の供給を飛散防止板に形成した流路によりおこなうことができ、構成を簡素化できるという利点がある。
【００４９】
請求項９においては、請求項８の構成に加えて、流路が３列に分岐されており、３列の流路のそれぞれの分岐先端には、噴射口がそれぞれ形成されているから、請求項８の効果に加えて、噴射口より噴射される圧力は、おしり洗浄ノズル及びビデ洗浄ノズルよりの噴
射圧と同様となるが、ノズル洗浄用管路体の管径及び噴射口の数及び大きさの設定により充分に高い圧力を得ることができ、噴射洗浄が可能になるという利点がある。
【図面の簡単な説明】
【図１】  本発明の実施の一形態の局部洗浄ノズルの斜視図である。
【図２】  同上の局部洗浄装置の斜視図である。
【図３】  同上の系統図である。
【図４】  同上のおしり洗浄ノズルの一部が突出し、ビデ洗浄ノズルが格納された斜視図である。
【図５】  同上の両ノズルが格納された斜視図である。
【図６】  同上の両ノズルの格納状態の斜視図である。
【図７】  同上の側面図である。
【図８】  同上の斜視図である。
【図９】  同上のノズル噴射洗浄手段の斜視図である。
【図１０】  （ａ）はノズル噴射洗浄手段の斜視図、（ｂ）は（ａ）のＢ−Ｂ線断面図である。
【図１１】  同上のノズル噴射洗浄手段の斜視図である。
【図１２】  同上のスライダーの洗浄時の斜視図である。
【図１３】  同上の噴射洗浄範囲を示す説明図である。
【図１４】  同上のノズル噴射洗浄手段の斜視図である。
【図１５】  同上のノズル噴射洗浄手段の他の実施の形態の斜視図である。
【図１６】  同上のノズル噴射洗浄手段の更に他の実施の形態の斜視図である。
【図１７】  同上の飛散防止板及び装置を示す部分斜視図である。
【図１８】  同上の拡大斜視図である。
【図１９】  同上の拡大側断面図である。
【符号の説明】
１  局部洗浄ノズル
２  スライダー
３  シリンダー
４  ノズル噴射洗浄手段
５  噴射口
【図１】
0004599716.tif 000002
【図２】
0004599716.tif 000003
【図３】
0004599716.tif 000004
【図４】
0004599716.tif 000005
【図５】
0004599716.tif 000006
【図６】
0004599716.tif 000007
【図７】
0004599716.tif 000008
【図８】
0004599716.tif 000009
【図９】
0004599716.tif 000010
【図１０】
0004599716.tif 000011
【図１１】
0004599716.tif 000012
【図１２】
0004599716.tif 000013
【図１３】
0004599716.tif 000014
【図１４】
0004599716.tif 000015
【図１５】
0004599716.tif 000016
【図１６】
0004599716.tif 000017
【図１７】
0004599716.tif 000018
【図１８】
0004599716.tif 000019
【図１９】
0004599716.tif 000020